(57)【要約】【課題】液晶表示器の視認性を確保しつつバックライトの長寿命化を実現することが可能な給水装置及び監視システムを提供する。【解決手段】給水装置１は、少なくとも１つのポンプを備え、ポンプを駆動して給水先に水を供給するものであり、給水装置１の状態を示す情報を表示する液晶表示部３１と、液晶表示部３１を背面から照明するバックライト３２と、給水装置１の状態に応じて、バックライトの制御を行う表示制御部３５と、を備える。【選択図】図２
2018145603.tif 000002
【特許請求の範囲】
【請求項１】
少なくとも１つのポンプを備え、該ポンプを駆動して給水先に水を供給する給水装置において、
前記給水装置の状態を示す情報を表示する液晶表示部と、
前記液晶表示部を背面から照明する背面照明部と、
前記給水装置の状態に応じて、前記背面照明部の制御を行う制御部と、
を備える給水装置。
【請求項２】
前記制御部は、前記ポンプが自動運転状態である場合には、前記背面照明部を制御して前記背面照明部の輝度を第１輝度に設定し、
前記ポンプの運転状態の変化が生じた場合には、前記背面照明部を制御して前記背面照明部の輝度を前記第１輝度よりも高い第２輝度に設定する、
請求項１記載の給水装置。
【請求項３】
前記給水装置は、並列に設けられた複数のポンプを備えており、
前記ポンプの運転状態の変化は、待機状態にある前記ポンプが始動する追加動作の発生、又は運転状態にある前記ポンプが停止する解列動作の発生である、
請求項２記載の給水装置。
【請求項４】
前記給水装置は、前記給水先に供給する水の圧力を保持する圧力タンクと、
前記給水先に供給される水の流量が予め規定された流量まで低下した状態である小水量状態を検出する検出器と、
を備えており、
前記ポンプの運転状態の変化は、前記検出器によって前記小水量状態が検出された場合に、前記圧力タンクへの蓄圧のために行われる前記ポンプによる加圧動作の実施である、
請求項２又は請求項３記載の給水装置。
【請求項５】
前記制御部は、前記ポンプによる加圧動作の実施後に前記ポンプが停止状態になった場合には、前記背面照明部を制御して前記背面照明部を消灯させ、
前記ポンプが停止状態から再び運転状態になった場合には、前記背面照明部を制御して前記背面照明部の輝度を前記第１輝度に設定する、
請求項４記載の給水装置。
【請求項６】
前記制御部は、前記給水装置の異常が生じた場合には、前記背面照明部を制御して前記背面照明部を点滅させる、請求項１から請求項５の何れか一項に記載の給水装置。
【請求項７】
前記制御部は、前記給水装置で生じた異常の種類に応じて、前記背面照明部の点滅周期を変える、請求項６記載の給水装置。
【請求項８】
前記給水装置は、操作部を備えており、
前記制御部は、前記操作部の操作が行われた場合に、前記背面照明部を制御して前記背面照明部を点灯させる、
請求項１から請求項７の何れか一項に記載の給水装置。
【請求項９】
前記制御部は、前記操作部の操作が行われなくなった時間が予め規定された第１時間を超えた場合において、前記ポンプが自動運転状態であるときには、前記背面照明部を制御して前記背面照明部の輝度を低下させ、前記ポンプが停止状態であるときには、前記背面照明部を制御して前記ポンプが停止状態になってから予め規定された第２時間だけ前記背面照明部の点灯を継続する、請求項８記載の給水装置。
【請求項１０】
前記制御部は、前記第２時間が経過した後は、前記背面照明部を制御して前記背面照明部の輝度を徐々に低下させる、請求項９記載の給水装置。
【請求項１１】
前記制御部は、前記背面照明部に対して、パルス幅変調制御、及び該パルス幅変調制御における制御周期の変更の少なくとも一方を行って前記背面照明部の輝度を制御する、請求項１から請求項１０の何れか一項に記載の給水装置。
【請求項１２】
前記給水装置は、計時部を更に備えており、
前記制御部は、前記計時部の計時結果に応じて、前記背面照明部の点灯及び消灯を制御する、
請求項１から請求項１１の何れか一項に記載の給水装置。
【請求項１３】
前記給水装置は、近距離無線通信を行う通信部を更に備えており、
前記制御部は、前記通信部の通信状態に応じて、前記背面照明部を制御して前記背面照明部を点灯、消灯、又は点滅させる、
請求項１から請求項１２の何れか一項に記載の給水装置。
【請求項１４】
前記給水装置は、前記ポンプを制御する第１制御装置及び第２制御装置を備えており、
前記液晶表示部、前記背面照明部、及び前記制御部は、前記第１制御装置及び前記第２制御装置にそれぞれ設けられており、
前記制御部は、前記第１制御装置による前記ポンプの制御から前記第２制御装置による前記ポンプの制御に切り替わる場合、或いは、前記第２制御装置による前記ポンプの制御から前記第１制御装置による前記ポンプの制御に切り替わる場合に、前記背面照明部を制御して前記背面照明部をそれぞれ点滅させる、
請求項１から請求項１３の何れか一項に記載の給水装置。
【請求項１５】
給水先に水を供給する給水装置と、
前記給水装置の状態を示す情報を表示する液晶表示部と、前記液晶表示部を背面から照明する背面照明部と、前記給水装置の状態に応じて前記背面照明部の制御を行う制御部と、を有する監視装置と、
を備える監視システム。
【発明の詳細な説明】
【技術分野】
【０００１】
本発明は、給水装置及び監視システムに関する。
【背景技術】
【０００２】
給水装置は、誤操作の防止や安全上の観点から、建物内に設けられた機械室等の暗い環境に設置されることが多い。このため、従来の給水装置は、例えば７セグメントディスプレイや表示灯等の自発光式の表示器を備えており、運転状態や警報の内容に応じて表示器を発光させるようにしている事が殆どである。自発光式の表示器の表示内容は暗い環境においても視認可能であるため、給水装置の運転状態や警報を容易に把握することができる。
【０００３】
近年、上記の表示器として、液晶表示器（或いは、タッチパネルを備える液晶表示器）を備える給水装置も実現されている。液晶は自ら発光するものではないため、暗い環境に設置されることが多い給水装置に設けられる液晶表示器は、背面から液晶を照明するバックライト（背面照明装置）を備えることが必須になる。尚、屋外に設置される給水装置も、夜間に故障等が発生した場合に、液晶表示器に表示される運転状態や警報の内容が分かるようにするためにバックライトが必要になる。
【０００４】
以下の特許文献１には、給水装置の技術分野に係るものではないが、バックライトの点灯制御に関する従来技術が開示されている。具体的に、以下の特許文献１には、リモートコントローラに設けられた複数のボタンのうちの押下されたボタンに応じて、リモートコントローラのバックライトを点灯させる時間を変えることで、表示情報の視認性を高めつつ、電池寿命を長持ちさせる技術が開示されている。
【先行技術文献】
【特許文献】
【０００５】
【特許文献１】特開２０１５−１４５７４９号公報
【発明の概要】
【発明が解決しようとする課題】
【０００６】
ところで、上述した液晶表示器に設けられているバックライトの多くは、自発光素子であるＬＥＤ（Light Emitting Diode：発光ダイオード）が用いられる。ＬＥＤは、蛍光ランプ等に比べて数倍の寿命があることから一般的には長寿命と言われているが、給水装置の製品寿命に比べると短い。また、ＬＥＤは、発光部の温度が高くなるにつれて寿命が短くなる関係があることが知られている。このため、バックライトを高輝度で常時点灯すると、バックライトの寿命が短くなり、給水装置の製品寿命に影響を及ぼすことが懸念される。
【０００７】
一方で、給水装置が設置される暗い環境下において、バックライトを点灯しなければ、液晶表示器の表示内容を視認することは困難であることから、バックライトの点灯は必要になる。このように、給水装置に設けられる液晶表示器においては、視認性を確保するためにバックライトを点灯する必要があるが、給水装置の製品寿命を考慮すると、バックライトの寿命を極力縮めない方法でバックライトを点灯する必要がある。
【０００８】
本発明は上記事情に鑑みてなされたものであり、液晶表示器の視認性を確保しつつバックライトの長寿命化を実現することが可能な給水装置及び監視システムを提供することを目的とする。
【課題を解決するための手段】
【０００９】
上記課題を解決するために、本発明の給水装置（１〜４）は、少なくとも１つのポンプ（１０ａ，１０ｂ）を備え、該ポンプを駆動して給水先に水を供給する給水装置（１〜４）において、前記給水装置の状態を示す情報を表示する液晶表示部（３１）と、前記液晶表示部を背面から照明する背面照明部（３２）と、前記給水装置の状態に応じて、前記背面照明部の制御を行う制御部（３５）と、を備える。
また、本発明の給水装置は、前記制御部が、前記ポンプが自動運転状態である場合には、前記背面照明部を制御して前記背面照明部の輝度を第１輝度に設定し、前記ポンプの運転状態の変化が生じた場合には、前記背面照明部を制御して前記背面照明部の輝度を前記第１輝度よりも高い第２輝度に設定する。
また、本発明の給水装置は、前記給水装置が、並列に設けられた複数のポンプ（１０ａ，１０ｂ）を備えており、前記ポンプの運転状態の変化とは、待機状態にある前記ポンプが始動する追加動作の発生、又は運転状態にある前記ポンプが停止する解列動作の発生を指す。
また、本発明の給水装置は、前記給水装置が、前記給水先に供給する水の圧力を保持する圧力タンク（１７）と、前記給水先に供給される水の流量が予め規定された流量まで低下した状態である小水量状態を検出する検出器（１５ａ、１５ｂ）と、を備えており、前記ポンプの運転状態の変化とは、前記検出器によって前記小水量状態が検出された場合に、前記圧力タンクへの蓄圧のために行われる前記ポンプによる加圧動作の実施を指す。
また、本発明の給水装置は、前記制御部が、前記ポンプによる加圧動作の実施後に前記ポンプが停止状態になった場合には、前記背面照明部を制御して前記背面照明部を消灯させ、前記ポンプが停止状態から再び運転状態になった場合には、前記背面照明部を制御して前記背面照明部の輝度を前記第１輝度に設定する。
また、本発明の給水装置は、前記制御部が、前記給水装置の異常が生じた場合には、前記背面照明部を制御して前記背面照明部を点滅させる。
また、本発明の給水装置は、前記制御部が、前記給水装置で生じた異常の種類に応じて、前記背面照明部の点滅周期を変える。
また、本発明の給水装置は、前記給水装置が、操作部（３４）を備えており、前記制御部が、前記操作部の操作が行われた場合に、前記背面照明部を制御して前記背面照明部を点灯させる。
また、本発明の給水装置は、前記制御部が、前記操作部の操作が行われなくなった時間が予め規定された第１時間を超えた場合において、前記ポンプが自動運転状態であるときには、前記背面照明部を制御して前記背面照明部の輝度を低下させ、前記ポンプが停止状態であるときには、前記背面照明部を制御して前記ポンプが停止状態になってから予め規定された第２時間だけ前記背面照明部の点灯を継続する。
また、本発明の給水装置は、前記制御部が、前記第２時間が経過した後は、前記背面照明部を制御して前記背面照明部の輝度を徐々に低下させる。
また、本発明の給水装置は、前記制御部が、前記背面照明部に対して、パルス幅変調制御、及び該パルス幅変調制御における制御周期の変更の少なくとも一方を行って前記背面照明部の輝度を制御する。
また、本発明の給水装置は、前記給水装置が、計時部（４０）を更に備えており、前記制御部が、前記計時部の計時結果に応じて、前記背面照明部の点灯及び消灯を制御する。
また、本発明の給水装置は、前記給水装置が、近距離無線通信を行う通信部（５０）を更に備えており、前記制御部が、前記通信部の通信状態に応じて、前記背面照明部を制御して前記背面照明部を点灯、消灯、又は点滅させる。
また、本発明の給水装置は、前記給水装置が、前記ポンプを制御する第１制御装置（２０ａ）及び第２制御装置（２０ｂ）を備えており、前記液晶表示部、前記背面照明部、及び前記制御部が、前記第１制御装置及び前記第２制御装置にそれぞれ設けられており、前記制御部が、前記第１制御装置による前記ポンプの制御から前記第２制御装置による前記ポンプの制御に切り替わる場合、或いは、前記第２制御装置による前記ポンプの制御から前記第１制御装置による前記ポンプの制御に切り替わる場合に、前記背面照明部を制御して前記背面照明部をそれぞれ点滅させる。
本発明の監視システム（ＩＳ）は、給水先に水を供給する給水装置（５）と、前記給水装置の状態を示す情報を表示する液晶表示部と、前記液晶表示部を背面から照明する背面照明部と、前記給水装置の状態に応じて前記背面照明部の制御を行う制御部と、を有する監視装置（６０）と、を備える。
【発明の効果】
【００１０】
本発明によれば、給水装置の状態に応じて、液晶表示部を背面から照明する背面照明部の制御を行うようにしているため、液晶表示器の視認性を確保しつつバックライトの長寿命化を実現することが可能であるという効果がある。
【図面の簡単な説明】
【００１１】
【図１】本発明の第１実施形態による給水装置の外観を示す正面図である。
【図２】本発明の第１実施形態による給水装置の要部構成を示すブロック図である。
【図３】本発明の第１実施形態による給水装置の操作パネルを示す正面図である。
【図４】本発明の第１実施形態による給水装置の第１動作例を示すフローチャートである。
【図５】本発明の第１実施形態による給水装置の第２動作例を説明するための図である。
【図６】本発明の第１実施形態による給水装置の第３動作例を説明するための図である。
【図７】本発明の第２実施形態による給水装置の要部構成を示すブロック図である。
【図８】本発明の第３実施形態による給水装置の要部構成を示すブロック図である。
【図９】本発明の第４実施形態による給水装置の要部構成を示すブロック図である。
【図１０】本発明の第５実施形態による監視システムＩＳを模式的に示す図である。
【発明を実施するための形態】
【００１２】
以下、図面を参照して本発明の実施形態による給水装置及び監視システムについて詳細に説明する。
【００１３】
〔第１実施形態〕
図１は、本発明の第１実施形態による給水装置の外観を示す正面図である。図１に示す通り、本実施形態の給水装置１は、直方体形状のキャビネットＣＢに収容されており、例えば建物内に設けられた機械室等の暗い環境に設置される。尚、給水装置１の設置は、建物内に限定される訳ではなく、屋外に設置されることもある。キャビネットＣＢの正面側には、開放可能に構成された正面パネルＰＮが設けられている。この正面パネルＰＮは、第三者による操作を防止するために施錠が可能である。正面パネルＰＮの施錠が解除されて、正面パネルＰＮが開放されると、内部に収容された給水装置１に対する操作を行うことが可能になる。
【００１４】
また、正面パネルＰＮの上方（図１に示す例では右上隅）には、矩形形状の切り欠きが形成されており、その切り欠きには透明窓Ｗが取り付けられている。この透明窓Ｗは、給水装置１に設けられた操作パネルＰ（図３参照）の表示内容をキャビネットＣＢの外部から参照可能にするためのものである。透明窓Ｗは、変形しにくい透明樹脂（例えば、透明な強化プラスチック）によって形成されている。このため、キャビネットＣＢの外部から操作パネルＰの表示内容を参照することは可能であるが、キャビネットＣＢの外部から操作パネルＰを操作することは困難である。正面パネルＰＮの施錠を解除して正面パネルＰＮを開放すれば、操作パネルＰを操作することが可能になる。
【００１５】
図２は、本発明の第１実施形態による給水装置の要部構成を示すブロック図である。図２に示す通り、給水装置１は、導入管Ｐ１を介して水道管Ｐ０に接続される吸込口Ａと、給水先（例えば、建物の各階の給水器具（蛇口等））に連通する給水管Ｐ２に接続される吐出口Ｂとを備えており、水道管Ｐ０からの水を増圧して給水先に水を供給する。つまり、給水装置１は、水道管Ｐ０に直接接続される直結給水方式のもののうち、水道管Ｐ０から供給される水の圧力を増圧して給水先に給水する増圧給水方式のものである。
【００１６】
この給水装置１は、２台のポンプ１０ａ，１０ｂ、２つのモータ１１ａ，１１ｂ、２つのインバータ１２ａ，１２ｂ、逆流防止装置１３、２つの逆止弁１４ａ，１４ｂ、２つのフロースイッチ１５ａ，１５ｂ（検出器）、逆止弁１６、圧力タンク１７、圧力センサ１８，１９、及び制御装置２０を備える。これらは、図１に示したキャビネットＣＢ内に収容されている。
【００１７】
ポンプ１０ａ，１０ｂは、並列に設けられており、モータ１１ａ，１１ｂによってそれぞれ駆動され、給水装置１の吸込口Ａに吸入された水を加圧（増圧）する。このように２台のポンプ１０ａ，１０ｂを並列に設けるのは、ポンプ１０ａ，１０ｂの何れか一方が故障した場合であっても運転を継続可能にするため、或いは給水量に応じてポンプ１０ａ，１０を効率的に運転することで省エネルギーを実現するため等の理由による。
【００１８】
モータ１１ａ，１１ｂは、ポンプ１０ａ，１０ｂに対応してそれぞれ設けられており、インバータ１２ａ，１２ｂによって駆動されることで、対応するポンプ１０ａ，１０ｂをそれぞれ駆動する。インバータ１２ａ，１２ｂは、モータ１１ａ，１１ｂに対応してそれぞれ設けられており、制御装置２０の制御の下で、対応するモータ１１ａ，１１ｂをそれぞれ可変速駆動する。
【００１９】
逆止弁１４ａ，１４ｂは、ポンプ１０ａ，１０ｂの吐出口に接続された吐出管Ｐ１１，Ｐ１２にそれぞれ設けられており、ポンプ１０ａ，１０ｂが停止したときの水の逆流を防止する弁である。フロースイッチ１５ａ，１５ｂは、吐出管Ｐ１１，Ｐ１２を流れる水の流量が予め規定された流量まで低下した状態である小水量状態を検出する流量検出器である。フロースイッチ１５ａ，１５ｂは、制御装置２０に接続されており、その検出結果が制御装置２０に入力されるようになっている。
【００２０】
このように、ポンプ１０ａの吐出口に接続された吐出管Ｐ１１には、逆止弁１４ａ及びフロースイッチ１５ａが設けられており、ポンプ１０ｂの吐出口に接続された吐出管Ｐ１２には、逆止弁１４ｂ及びフロースイッチ１５ｂが設けられている。前述の通り、ポンプ１０ａ，１０ｂは並列に設けられていることから、逆止弁１４ａ及びフロースイッチ１５ａと、逆止弁１４ｂ及びフロースイッチ１５ｂとはそれぞれ並列に設けられているということができる。
【００２１】
また、給水装置１には、上述したポンプ１０ａ，１０ｂ、逆止弁１４ａ，１４ｂ、及びフロースイッチ１５ａ，１５ｂをバイパスするためのバイパス管Ｐ１３が設けられている。このバイパス管Ｐ１３は、水道管Ｐ０から供給される水の圧力を増圧せずに、水道管Ｐ０から供給される水の圧力のみで給水を可能とするために設けられる。このバイパス管Ｐ１３には、逆止弁１６が設けられている。
【００２２】
圧力タンク１７は、ポンプ１０ａ，１０ｂが停止している間の吐出側圧力を保持するための圧力保持器である。圧力センサ１８は、逆流防止装置１３の吸入側に配置されており、給水装置１の吸入側の圧力を測定するセンサである。圧力センサ１９は、給水装置１の吐出側の圧力（即ち、給水装置１に加わる背圧）を測定するセンサである。これら圧力センサ１８，１９は、制御装置２０に接続されており、その測定結果が制御装置２０に入力されるようになっている。
【００２３】
制御装置２０は、給水装置１の動作を統括して制御する。例えば、制御装置２０は、インバータ１２ａ，１２ｂに指令信号を出力して、小水量停止制御、始動制御、吐出圧力一定制御等を行う。ここで、小水量停止制御は、フロースイッチ１５ａ，１５ｂによって、小水量状態（吐出管Ｐ１１，Ｐ１２を流れる水の流量が予め規定された流量まで低下した状態）が検出された場合に、制御装置２０が、ポンプ１０ａ，１０ｂの運転速度を一時的に上昇させて圧力タンク１７に蓄圧してからポンプ１０ａ，１０ｂの運転を停止させる制御である。つまり、小水量停止制御は、給水先での水の消費が少なくなって、給水量が減少した場合に行われる制御である。
【００２４】
上記の始動制御は、ポンプ１０ａ，１０ｂの何れか一方を始動させる制御である。この始動制御は、例えば、上記の小水量停止制御が行われてポンプ１０ａ，１０ｂの双方が停止している状態で、圧力センサ１９の測定結果（給水装置１の吐出側の圧力）が、予め規定された始動圧力まで低下した場合に行われる。尚、給水装置１の吐出側の圧力低下は、例えば給水先での水の消費が増大することによって生ずる。つまり、始動制御は、例えば給水先での水の消費が多くなって、給水量が増大した場合に行われる制御である。
【００２５】
上記の吐出圧力一定制御は、圧力センサ１９の測定結果（給水装置１の吐出側の圧力）が一定になるように、ポンプ１０ａ，１０ｂの回転速度を調整する制御である。このような吐出圧力一定制御は、例えば上記の始動制御が行われて、ポンプ１０ａ，１０ｂの何れか一方が始動して運転状態にある場合に行われる。尚、給水装置１の吐出側の圧力は、給水先の水の消費量に応じて増減する。このため、吐出圧力一定制御は、給水量に応じてポンプ１０ａ，１０ｂの回転速度を調整する制御であるということができる。
【００２６】
更に、制御装置２０は、バックアップ運転制御、強制交互制御、ポンプの追加・解列制御等の種々の制御を行う。ここで、バックアップ運転制御とは、ポンプ１０ａ，１０ｂの何れか一方が故障した場合に、何れか他方によって給水装置１の運転の継続させる制御である。強制交互制御とは、ポンプ１０ａ，１０ｂの積算運転時間の平準化や、ポンプ１０ａ，１０ｂの内部の死水防止のため、例えば予め設定された時間で運転状態にあるポンプ１０ａ，１０ｂを強制的に交互させる制御である。ポンプの追加・解列制御とは、例えば省エネルギーを実現するため、給水量に応じて運転状態にあるポンプの追加や解列を行う制御である。
【００２７】
通常、給水装置１は常時通電されており、上述した通り、給水先の水の消費状況（給水量）に応じてポンプ１０ａ，１０ｂの始動、停止、或いは回転速度を自動的に制御する自動運転モードにて使用されている。以下では、給水装置１が自動運転モードにて使用されている状態を、「自動運転状態」という。
【００２８】
制御装置２０は、図２に示す通り、入出力部２１、主制御部２２、及び操作表示部２３を備える。入出力部２１は、主制御部２２に対するインターフェイスを司る。具体的に、入出力部２１は、主制御部２２と、インバータ１２ａ，１２ｂ、フロースイッチ１５ａ，１５ｂ、及び圧力センサ１８，１９とに接続されており、フロースイッチ１５ａ，１５ｂの検出結果、及び圧力センサ１１８，１９の測定結果を主制御部２２に出力するとともに、主制御部２２からの指令信号をインバータ１２ａ，１２ｂに出力する。
【００２９】
主制御部２２は、フロースイッチ１５ａ，１５ｂの検出結果、及び圧力センサ１８，１９の測定結果を用いて、上述した各種制御（小水量停止制御、始動制御、吐出圧力一定制御、バックアップ運転制御、強制交互制御、ポンプの追加・解列制御等）を行う。この主制御部２２は、例えば上記の各種制御を行うためのプログラムがＣＰＵ（中央処理装置）で実行されることによって実現される。つまり、主制御部２２は、ソフトウェアとハードウェア資源とが協働することによって実現される。
【００３０】
操作表示部２３は、液晶表示部３１、バックライト３２（背面照明部）、表示灯部３３、操作部３４、及び表示制御部３５（制御部）を備えており、主制御部２２の制御の下で、給水装置１の状態を示す情報の表示、及び給水装置１に対する操作指示の入力を行う。液晶表示部３１は、液晶表示器ＤＰ（図３参照）を備えており、文字情報、画像情報、その他の各種情報の表示が可能である。バックライト３２は、液晶表示部３１に設けられた液晶表示器ＤＰを、その背面から照明する。このバックライト３２は、機械室等の暗い環境下において、液晶表示部３１に設けられた液晶表示器ＤＰの表示内容を視認できるようにするために設けられる。
【００３１】
表示灯部３３は、例えばＬＥＤ等の表示ランプを備えており、液晶表示部３１とともに、給水装置１の状態を表示するために設けられる。例えば、表示灯部３３は、給水装置１の異常を表示するために設けられる。尚、給水装置１の状態を示す情報を全て液晶表示部３１に表示することも可能であるが、液晶表示部３１の故障が生ずると、給水装置１の状態を示す情報の全てが表示されなくなる可能性も考えられる。このため、給水装置１の状態を示す情報の一部を、表示灯部３３で表示することが好ましい。操作部３４は、給水装置１に対する操作指示を行うための複数の操作ボタンを備える。例えば、操作部３４は、給水装置１の運転モード（試験運転モード又は自動運転モード）の選択を行う運転選択ボタンを備える。
【００３２】
表示制御部３５は、主制御部２２の出力に基づいて、液晶表示部３１に表示させる内容の制御、バックライト３２の制御、及び表示灯部３３の点灯制御を行う。具体的に、表示制御部３５は、ポンプ１０ａ，１０ｂの運転状態に応じて、バックライト３２の輝度制御を行う。このような制御を行うのは、液晶表示部３１（液晶表示器ＤＰ）の視認性を確保しつつバックライト３２の長寿命化を実現するためである。
【００３３】
液晶表示部３１（液晶表示器ＤＰ）の視認性が要求される場面としては、例えば以下の第１〜第３場面が挙げられる。
第１場面：給水装置１を設置した際の設定及び試運転作業時
第２場面：給水装置１の定期点検時
第３場面：異常が発生し、警報解除や点検作業が必要となる時
【００３４】
表示制御部３５は、例えば上記第１〜第３場面では、バックライト３２の輝度を上昇させる制御を行って、作業を行うために必要な視認性を確保する。これに対し、表示制御部３５は、例えば上記第１〜第３場面以外の場面では、バックライト３２の輝度を低下させる制御を行って、バックライト３２の長寿命化を実現する。尚、表示制御部３５で行われるバックライト３２の制御の詳細については後述する。
【００３５】
図３は、本発明の第１実施形態による給水装置の操作パネルを示す正面図である。図３に示す操作パネルＰは、図１に示す正面パネルＰＮの透明窓Ｗを介して外部から参照可能である。図３に示す通り、操作パネルＰは、液晶表示器ＤＰ、各種の表示ランプＬＰ１〜ＬＰ６、運転スイッチＳＷ、及び各種の操作ボタンＢ１〜Ｂ３を備える。液晶表示器ＤＰは、前述の通り、図２に示す液晶表示部３１に設けられ、文字情報、画像情報、その他の各種情報の表示が可能である。
【００３６】
表示ランプＬＰ１〜ＬＰ６は、図２に示す表示灯部３３に設けられる。具体的に、表示ランプＬＰ１は、給水装置１に対する電源供給が行われている場合に点灯する表示ランプである。表示ランプＬＰ２は、ポンプ１０ａ，１０ｂの状態（運転状態、故障状態）を表示するための表示ランプである。表示ランプＬＰ３は、省エネルギーでの運転が行われている場合に点灯する表示ランプである。表示ランプＬＰ４は、ポンプ１０ａ，１０ｂの運転モード（試験運転モード又は自動運転モード）を表示するための表示ランプである。表示ランプＬＰ５は、給水装置１で異常が発生した場合に点灯する表示ランプである。表示ランプＬＰ６は、給水装置１が運転状態にある場合に点灯する表示ランプである。
【００３７】
運転スイッチＳＷは、給水装置１を運転させるか又は停止させるかを切り替えるスイッチである。操作ボタンＢ１〜Ｂ３は、図２に示す操作部３４に設けられる。具体的に、操作ボタンＢ１は、ポンプ１０ａ，１０ｂの運転モード（試験運転モード又は自動運転モード）を選択するための操作ボタンである。操作ボタンＢ２は、各種設定、表示切り替え、液晶表示器ＤＰに表示された数値の増減等を行うための操作ボタンである。操作ボタンＢ３は、給水装置１で異常が発生した場合に発報されるブザーを停止させ、警報解除を行うための操作ボタンである。
【００３８】
次に、上記構成における給水装置１の動作について説明する。以下では、まず、前述した第１，第２場面で行われる動作（以下、第１動作例という）について説明し、次に、自動運転状態で行われる動作（第２動作例）について説明し、最後に、前述した第３場面で行われる動作（以下、第３動作例という）について説明する。
【００３９】
〈第１動作例〉
図４は、本発明の第１実施形態による給水装置の第１動作例を示すフローチャートである。尚、図４に示すフローチャートの処理は、一定周期で繰り返される。図４に示すフローチャートの処理が開始されると、まず、操作表示部２３に設けられた操作部３４の操作の有無が表示制御部３５で判断される（ステップＳ１１）。例えば、図３に示す操作パネルＰに設けられた運転スイッチＳＷ及び操作ボタンＢ１〜Ｂ３のうちの何れかの操作がなされたか否かが表示制御部３５で判断される。
【００４０】
操作部３４の操作がされていないと判断された場合（ステップＳ１１の判断結果が「ＮＯ」の場合）には、図４に示す一連の処理が終了する。これに対し、操作部３４の操作がされたと判断された場合（ステップＳ１１の判断結果が「ＹＥＳ」の場合）には、バックライト３２を点灯させる制御が表示制御部３５によって行われる（ステップＳ１２）。つまり、操作部３４が操作された場面では、操作部３４を操作して操作パネルＰに設けられた液晶表示器ＤＰの表示内容の切り替えや液晶表示器ＤＰに表示された初期値の変更等が行われることがあるため、バックライト３２を点灯して液晶表示器ＤＰの視認性を向上させるようにしている。
【００４１】
次に、操作部３４の操作後、所定時間（例えば、数十秒程度：第１時間）が経過したか否かが表示制御部３５で判断される（ステップＳ１３）。上記の所定時間が経過していないと判断された場合（ステップＳ１３の判断結果が「ＮＯ」の場合）には、図４に示す一連の処理が終了する。尚、図４に示す一連の処理が終了してもバックライト３２が消灯される訳ではないため、バックライト３２の点灯は継続される。
【００４２】
これに対し、上記の所定時間が経過したと判断された場合（ステップＳ１３判断結果が「ＹＥＳ」の場合）には、ポンプ１０ａ，１０ｂの少なくとも一方が自動運転状態（自動運転中）であるか否かが表示制御部３５で判断される（ステップＳ１４）。尚、ポンプ１０ａ，１０ｂの少なくとも一方が自動運転状態であるか否かは、例えば表示制御部３５が主制御部２２に対して問い合わせをすることで知ることができる。或いは、例えば、給水装置１の運転モードを示す運転モード信号を主制御部２２から表示制御部３５に出力するようにしても知ることができる。
【００４３】
ポンプ１０ａ，１０ｂの少なくとも一方が自動運転状態であると判断された場合（ステップＳ１４の判断結果が「ＹＥＳ」の場合）には、バックライト３２の輝度を低下させる制御が表示制御部３５で行われる（ステップＳ１５）。つまり、上記の自動運転状態になった場合には、操作部３４を操作する作業が終了したものとみなし、液晶表示器ＤＰの視認性を向上させる必要がなくなったことから、バックライト３２の輝度を低下するようにしている。
【００４４】
バックライト３２の輝度制御は、例えばＰＷＭ（Pulse Width Modulation：パルス幅変調）制御におけるデューティの調整、ＰＷＭ制御における制御周期の変更、或いはこれらの組み合わせによって行われる。尚、バックライト３２の輝度をどの程度まで低下させるかは、給水装置１が設置された環境における液晶表示器ＤＰの視認性及びバックライト３２の寿命等を考慮して適宜設定される。
【００４５】
他方、ポンプ１０ａ，１０ｂの双方が自動運転状態ではないと判断された場合（ステップＳ１４の判断結果が「ＮＯ」の場合）には、ポンプ１０ａ，１０ｂの双方が停止状態（停止中）であるか否かが表示制御部３５で判断される（ステップＳ１６）。尚、ポンプ１０ａ，１０ｂが停止状態であるか否かは、例えば表示制御部３５が主制御部２２に対して問い合わせをすることで知ることができる。或いは、例えば、給水装置１の運転モードを示す運転モード信号を主制御部２２から表示制御部３５に出力するようにしても知ることができる。
【００４６】
ポンプ１０ａ，１０ｂの双方が停止状態と判断された場合（ステップＳ１６の判断結果が「ＹＥＳ」の場合）には、ポンプ１０ａ，１０ｂの停止後、所定時間（例えば、数十秒程度：第２時間）が経過したか否かが表示制御部３５で判断される（ステップＳ１７）。上記の所定時間が経過していないと判断された場合（判断結果が「ＮＯ」の場合）には、図４に示す一連の処理が終了する。つまり、ポンプ１０ａ，１０ｂの双方が停止状態の場合には、操作部３４を操作する作業が継続しているとみなし、バックライト３２の点灯を継続するようにしている。
【００４７】
これに対し、ポンプ１０ａ，１０ｂの停止後、上記の所定時間が経過したと判断された場合（ステップＳ１７の判断結果が「ＹＥＳ」の場合）には、バックライト３２の輝度を、経過時間に応じて徐々に低下させる制御が表示制御部３５によって行われる（ステップＳ１８）。例えば、操作部３４が操作されない時間に応じて、ＰＷＭ制御におけるデューティをより低下させ、且つバックライト３２の点灯制御の制御周期をより長くすることで、バックライト３２の輝度を低下させる制御が行われる。これにより、バックライト３２の長寿命化を図ることができる。
【００４８】
他方、ポンプ１０ａ，１０ｂの双方が停止状態ではないと判断された場合（ステップＳ１６の判断結果が「ＮＯ」の場合）には、図４に示す一連の処理が終了する。つまり、ポンプ１０ａ，１０ｂの双方が停止状態ではない場合には、ポンプ１０ａ，１０ｂの少なくとも一方で試験運転が行われているものとみなし、バックライト３２の点灯を継続するようにしている。尚、上記の試験運転には、運転周波数が手動で変更された状態での運転、及び試験運転モードでの運転が含まれる。
【００４９】
〈第２動作例〉
図５は、本発明の第１実施形態による給水装置の第２動作例を説明するための図である。図５に示すグラフは、バックライト３２の輝度の経時変化の一例を示すものであり、横軸に時間をとり、縦軸にバックライト３２の輝度をとってある。また、図５中に示す時刻ｔ１は、自動運転状態にあるポンプ（ポンプ１０ａ，１０ｂの少なくとも一方）の運転状態の変化が生じた時刻を示してある。
【００５０】
自動運転状態にあるポンプの運転状態の変化が生ずるまでの間（時刻ｔ１になるまでの間）は、表示制御部３５の制御によって、バックライト３２の輝度は輝度ＬＭ１（第１輝度）に設定されている。これは、バックライト３２の長寿命化を極力図るためである。時刻ｔ１になって自動運転状態にあるポンプの運転状態の変化が生ずると、表示制御部３５の制御によって、バックライト３２の輝度は輝度ＬＭ１よりも高い輝度ＬＭ２（第２輝度）に設定される。これは、ポンプの運転状態の変化を外部に知らせるとともに、液晶表示器ＤＰの視認性を高めて、ポンプの運転状態を容易に把握することができるようにするためである。尚、輝度ＬＭ１，ＬＭ２は、給水装置１が設置された環境における液晶表示器ＤＰの視認性及びバックライト３２の寿命等を考慮して適宜設定される。
【００５１】
例えば、制御装置２０の制御によってポンプの追加・解列制御が行われた場合には、ポンプの運転状態の変化が生じたものとして、表示制御部３５の制御により、バックライト３２の輝度の設定は、輝度ＬＭ１から輝度ＬＭ２に変更される。尚、ポンプの追加制御が行われると、待機状態にあるポンプが始動する追加動作が行われることから、給水装置１の吐出側の圧力や流量変化が生ずる。同様に、ポンプの解列制御が行われると、運転状態にあるポンプが停止する解列動作が行われることから、給水装置１の吐出側の圧力や流量変化が生ずる。
【００５２】
また、例えば、フロースイッチ１５ａ，１５ｂの少なくとも一方によって、小水量状態が検出された場合は、前述した小水量停止制御（ポンプ１０ａ，１０ｂの少なくとも一方の運転速度を一時的に上昇させて圧力タンク１７に蓄圧してからポンプ１０ａ，１０ｂの少なくとも一方の運転を停止させる制御）が行われる。このような小水量停止制御が行われると、給水装置１の吐出側の圧力変化が生ずることから、表示制御部３５の制御により、バックライト３２の輝度の設定は、輝度ＬＭ１から輝度ＬＭ２に変更される。
【００５３】
尚、上述した小水量停止制御が行われて、ポンプ１０ａ，１０ｂの双方が停止状態になった場合には、表示制御部３５の制御によってバックライト３２が消灯される。この場合には、ポンプ１０ａ，１０ｂの運転状態の変化や、給水装置１の吐出側の圧力や流量変化が生ずることはないため、液晶表示器ＤＰの表示内容を参照することは殆どないからである。その後、ポンプ１０ａ，１０ｂの何れか一方が停止状態から再び運転状態になった場合には、表示制御部３５の制御によって、バックライト３２の輝度の設定は輝度ＬＭ１に設定される。
【００５４】
〈第３動作例〉
図６は、本発明の第１実施形態による給水装置の第３動作例を説明するための図である。給水装置１の異常が生じた場合には、異常が生じた旨が外部から直ちに分かるようにするために、表示制御部３５の制御によって、バックライト３２の点滅が行われる。その後、例えば図３に示す操作パネルＰの操作ボタンＢ３が操作された場合には、異常状態を解消するための作業が開始されたとみなし、表示制御部３５の制御によって、バックライト３２の点灯への切り替えが行われる。
【００５５】
給水装置１の異常が生じた場合において、表示制御部３５は、図６に示す通り、給水装置１で生じた異常の種類に応じてバックライト３２の点滅周期を変える。給水装置１で生ずる異常の種類としては、「重大故障」、「リトライ」、「リトライ後故障」、「軽故障」、「インターロックによる停止」等がある。「重大故障」は、全てのポンプ（ポンプ１０ａ，１０ｂ）を停止させる必要のある故障であり、例えば給水装置１への流入圧力の異常低下等が挙げられる。尚、該当ポンプのみ停止させる故障であっても、全てのポンプが運転不能となるときには、重大故障に分類される。
【００５６】
「リトライ」は、該当ポンプを一旦停止させてリトライさせる必要のある故障であり、例えば給水装置１の吐出圧力の異常低下、ポンプの異常加熱等が挙げられる。「リトライ後故障」は、上記の「リトライ」を実施した後に再検出される故障である。「軽故障」は、ポンプの停止が必要ない故障であり、フロースイッチ１５ａ，１５ｂの異常、減衰状態等が挙げられる。「インターロックによる停止」は、故障ではないものの、給水装置１の破損防止のために停止している状態である。
【００５７】
例えば、表示制御部３５は、図６に示す通り、異常の種類に拘わらず、バックライト３２を点灯する時間は一定（例えば、１秒）であるが、異常の種類に応じてバックライト３２を消灯する時間を変える。例えば、バックライト３２を消灯する時間は、「重大故障」の場合の場合には０．２５秒、「リトライ」の場合には０．５秒、「リトライ後故障」の場合には０．７５秒、「軽故障」の場合には１秒、「インターロックによる停止」の場合には２秒にする。
【００５８】
このように、異常の種類に応じてバックライト３２を消灯する時間を異ならせて、バックライト３２の点滅周期を変えることで、異常の緊急度を表現することができる。尚、「インターロックによる停止」の場合の消灯時間は、「重大故障」、「リトライ」、「リトライ後故障」、「軽故障」の場合の消灯時間に比べて長く設定されている。これは、「インターロックによる停止」は故障ではないことから、故障の発生を示す「重大故障」、「リトライ」、「リトライ後故障」、「軽故障」と明確に区別するためである。
【００５９】
尚、ここでは、バックライト３２を点灯する時間を一定にし、バックライト３２を消灯する時間を異常の種類に応じて変えることで点滅周期を変えているが、必ずしもバックライト３２を点灯する時間を一定にする必要は無い。例えば、バックライト３２を点灯する時間及びバックライト３２を消灯する時間の双方を異常の種類に応じて変えても良く、バックライト３２を点灯する時間のみを異常の種類に応じて変えても良い。
【００６０】
以上の通り、本実施形態では、液晶表示部３１に設けられた液晶表示器ＤＰを背面から照明するバックライト３２を、給水装置１の状態に応じて制御するようにしている。具体的には、液晶表示部３１（液晶表示器ＤＰ）の視認性が要求される場面（例えば、前述した第１〜第３場面）では、バックライト３２の輝度を高め、液晶表示部３１（液晶表示器ＤＰ）の視認性が要求されない場合（例えば、前述した第１〜第３場面以外の場面）では、バックライト３２の輝度を低下させている。これにより、液晶表示部３１（液晶表示器ＤＰ）の視認性を確保しつつ、バックライト３２の長寿命化を実現することができる。
【００６１】
〔第２実施形態〕
図７は、本発明の第２実施形態による給水装置の要部構成を示すブロック図である。図７に示す通り、本実施形態の給水装置２は、図１の給水装置１の操作表示部２３に計時部４０を加えた構成である。計時部４０は、例えばパルスカウンタ等の計時機能を有しており、時間を計時する。尚、図７では、理解を容易にするために、計時部４０が操作表示部２３に設けられているとしているが、計時部４０は、操作表示部２３の外部（制御装置２０の内部）に設けられていてもよい。
【００６２】
本実施形態の給水装置２に設けられた表示制御部３５は、前述した第１実施形態で説明した表示制御に加えて、計時部４０の計時結果に応じたバックライト３２の点灯及び消灯の制御を行う。具体的に、表示制御部３５は、バックライト３２を点灯しなくとも液晶表示器ＤＰの表示内容を視認することができる昼間はバックライト３２を消灯し、バックライト３２を点灯しなければ液晶表示器ＤＰの表示内容を視認することができない夜間はバックライト３２を点灯する制御を行う。これにより、照度センサを設けることなく、屋外の明るさに応じてバックライト３２の点灯及び消灯の制御を実現することができる。
【００６３】
また、計時部４０は、時分を計時するのみならず年月日を計時（把握）することができるため、表示制御部３５がバックライト３２の点灯及び消灯を行うタイミングを、季節に合わせて変えるようにしても良い。例えば、冬季は、朝のバックライト３２を消灯するタイミングを遅めにするとともに、夜のバックライト３２を点灯するタイミングを早めにする一方で、夏季は、朝のバックライト３２を消灯するタイミングを早めにするとともに、夜のバックライト３２を点灯するタイミングを遅めにする、といった具合である。このような季節に応じたバックライト３２の点灯及び消灯を行うタイミングの調整は、例えば図３に示す操作パネルＰを操作して行う。
【００６４】
尚、前述した通り、正面パネルＰＮが施錠されている場合には、正面パネルＰＮを開放することができないため、基本的には操作パネルＰを操作することはできない。このため、例えば操作パネルＰ（操作部３４）の操作することによってバックライト３２を点灯させて、液晶表示器ＤＰの視認性を確保するといったことはできない。このため、上記の計時部４０の計時結果を用いたバックライト３２の制御を行わない場合には、ポンプ１０ａ，１０ｂの双方が停止状態であっても、例えば図５に示す輝度ＬＭ１よりも低い輝度でバックライト３２の点灯を継続して液晶表示器ＤＰの視認性を確保するのが好ましい。
【００６５】
本実施形態では、前述した第１実施形態で行われていた給水装置１の状態に応じたバックライト３２の制御に加えて、計時部４０の計時結果に応じたバックライト３２の点灯及び消灯の制御を行うようにしている。このため、例えば給水装置２が屋外に設置された場合でも、液晶表示部３１（液晶表示器ＤＰ）の視認性を確保しつつ、バックライト３２の長寿命化を実現することができる。
【００６６】
〔第３実施形態〕
図８は、本発明の第３実施形態による給水装置の要部構成を示すブロック図である。図８に示す通り、本実施形態の給水装置３は、図１の給水装置１の操作表示部２３に通信部５０を加えた構成である。通信部５０は、例えばスマートフォン等の端末装置ＴＭと無線通信（或いは、有線通信）を行う。具体的に、通信部５０は、例えばＷｉ−Ｆｉ（登録商標）やＢｌｕｅｔｏｏｔｈ（登録商標）等の無線通信、或いはＮＦＣ（Near Field Communication）等の近距離無線通信を行う。
【００６７】
本実施形態の給水装置３に設けられた表示制御部３５は、前述した第１実施形態で説明した表示制御に加えて、通信部５０の通信状態に応じてバックライト３２の点灯、消灯、及び点滅を行う。このような制御を行うのは、通信部５０の通信状態を外部に通知するためである。例えば、通信部５０が端末装置ＴＭと通信を行っている場合にはバックライト３２を点灯させ、通信部５０の通信が正常に終了した場合にはバックライト３２を消灯させ、通信部５０の通信が正常に終了しなかった場合には予め規定された時間だけバックライト３２を点滅させる。
【００６８】
尚、通信部５０がＮＦＣ等の近距離無線通信を行うものである場合には、通信部５０は、アンテナとＩＣチップを備え、外部から非接触で供給される電力（アンテナで受電された電力）で動作する。通信部５０が動作すると、例えば、ＩＣチップに記憶されたデータが、アンテナを介して無線信号で送信され、或いは、外部から無線信号で送信されてきたデータが、アンテナで受信されてＩＣチップに記憶される。尚、このような通信部５０と通信可能な端末装置ＴＭは、アンテナと、上記のＩＣチップに対するデータの読み出しを行うリーダ（或いは、データの読み出し及び書き込みを行うリーダライタ）とを備える。
【００６９】
本実施形態では、前述した第１実施形態で行われていた給水装置１の状態に応じたバックライト３２の制御に加えて、通信部５０の通信状態に応じたバックライト３２の点灯、消灯、及び点滅の制御を行うようにしている。このため、液晶表示部３１（液晶表示器ＤＰ）の視認性を確保しつつ、バックライト３２の長寿命化を実現することができるとともに、通信部５０の通信状態を外部に知らせることができる。
【００７０】
〔第４実施形態〕
図９は、本発明の第４実施形態による給水装置の要部構成を示すブロック図である。図９に示す通り、本実施形態の給水装置４は、図１の給水装置１に設けられた制御装置２０を二重化し、一方を第１制御装置２０ａとし、他方を第２制御装置２０ｂとした構成である。第１制御装置２０ａ及び第２制御装置２０ｂは、入出力部２１、主制御部２２、及び操作表示部２３をそれぞれ備える。
【００７１】
このような給水装置４は、第１制御装置２０ａ及び第２制御装置２０ｂの何れか一方が故障した場合であっても、第１制御装置２０ａ及び第２制御装置２０ｂの何れか一方から何れか他方への制御の切り替えを行うことで、給水装置４の運転の継続を可能としたものである。つまり、本実施形態の給水装置４は、制御装置についてのバックアップ機能を備えるものである。
【００７２】
本実施形態の給水装置４において、第１制御装置２０ａでポンプ１０ａ，１０ｂの制御が行われる場合には、第１制御装置２０ａにおいて表示制御部３５によるバックライト３２の制御が行われ、第２制御装置２０ｂにおいて表示制御部３５によるバックライト３２の制御は行われない。これに対し、第２制御装置２０ｂでポンプ１０ａ，１０ｂの制御が行われる場合には、第２制御装置２０ｂにおいて表示制御部３５によるバックライト３２の制御が行われ、第１制御装置２０ａにおいて表示制御部３５によるバックライト３２の制御は行われない。
【００７３】
また、第１制御装置２０ａ及び第２制御装置２０ｂに設けられた表示制御部３５は、第１制御装置２０ａと第２制御装置２０ｂとの切り替えが行われる場合に、バックライト３２を点滅させる制御を行う。具体的には、第１制御装置２０ａによるポンプ１０ａ，１０ｂの制御から第２制御装置２０ｂによるポンプ１０ａ，１０ｂの制御に切り替わる場合、或いは、第２制御装置２０ｂによるポンプ１０ａ，１０ｂの制御から第１制御装置２０ａによるポンプ１０ａ，１０ｂの制御に切り替わる場合に、第１制御装置２０ａ及び第２制御装置２０ｂの各々においてバックライト３２を点滅させる制御が行われる。
【００７４】
本実施形態では、前述した第１実施形態で行われていた給水装置１の状態に応じたバックライト３２の制御に加えて、第１制御装置２０ａと第２制御装置２０ｂとの切り替えが行われる場合に、バックライト３２を点滅させる制御を行うよういにしている。このため、液晶表示部３１（液晶表示器ＤＰ）の視認性を確保しつつ、バックライト３２の長寿命化を実現することができるとともに、第１制御装置２０ａ及び第２制御装置２０ｂが切り替え中であるか否かを外部に知らせることができる。
【００７５】
〔第５実施形態〕
図１０は、本発明の第５実施形態による監視システムＩＳを模式的に示す図である。図１０に示す通り、本実施形態の監視システムＩＳは、給水装置５が設置された建物ＢＬから離れた場所に位置する遠隔監視室ＲＭに監視装置６０を設置し、給水装置５の運転状況を監視装置６０に表示させて、給水装置５を遠隔監視するシステムである。尚、給水装置５は、例えば前述した第１〜第４実施形態の給水装置１〜４であっても良い。
【００７６】
監視装置６０は、図２に示す操作表示部２３と同様の構成を備える。つまり、監視装置６０は、図２に示す液晶表示部３１、バックライト３２、表示灯部３３、操作部３４、及び表示制御部３５に相当する構成を備える。このため、監視装置６０では、例えば第１実施形態で説明したバックライト３２の制御と同様の制御が行われる。このため、本実施形態の監視システムＩＳにおいても、液晶表示部３１（液晶表示器ＤＰ）の視認性を確保しつつ、バックライト３２の長寿命化を実現することができる。
【００７７】
以上、本発明の実施形態による給水装置及び監視システムについて説明したが、本発明は上述した実施形態に制限されることなく、本発明の範囲内で自由に変更が可能である。例えば、上記実施形態では、主としてバックライト３２を自動制御する例について説明したが、バックライト３２の設定を手動で行うようにしても良い。例えば、バックライト３２の点灯、輝度に応じたデューティ比調整、及び消灯を手動で設定可能とし、スイッチの長押し等の簡単な操作で、これらを容易に切り替え、必要に応じて調整することができるようにしても良い。
【００７８】
また、上記実施形態で説明した給水装置１〜４は、２つのポンプ１０ａ，１０ｂを備えるものであったが、ポンプの数は１つでも良く、３つ以上であっても良い。また、上記実施形態で説明した給水装置１〜４は、直結給水方式のもののうちの増圧給水方式のものであったが、貯水槽方式のものであっても良い。
【符号の説明】
【００７９】
１〜５            給水装置
１０ａ，１０ｂ    ポンプ
１５ａ，１５ｂ    フロースイッチ
１７              圧力タンク
２０ａ            第１制御装置
２０ｂ            第２制御装置
３１              液晶表示部
３２              バックライト
３４              操作部
３５              表示制御部
４０              計時部
５０              通信部
６０              監視装置
ＩＳ              監視システム
【図１】
2018145603.tif 000003
【図２】
2018145603.tif 000004
【図３】
2018145603.tif 000005
【図４】
2018145603.tif 000006
【図５】
2018145603.tif 000007
【図６】
2018145603.tif 000008
【図７】
2018145603.tif 000009
【図８】
2018145603.tif 000010
【図９】
2018145603.tif 000011
【図１０】
2018145603.tif 000012